Podtech/llm-jp-corpus-v4-ja_patent huggingface dataset:
【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
演出スイッチと、
遊技者にとって有利となる特定遊技状態を含む、複数の遊技状態と、
前記特定遊技状態の遊技回数を加算するか否か、及び加算する遊技回数の抽選を行う加算抽選手段と
を備え、
前記加算抽選手段は、前記特定遊技状態の遊技回数の加算抽選を行うときは、前記演出スイッチの操作に基づく加算抽選を、所定条件を満たすまで、前記演出スイッチの操作ごとに実行し、
前記特定遊技状態の遊技回数の加算抽選を行うときは、その加算抽選で必ず加算することとなる最低限の当選回数を設定し、
前記加算抽選手段で当選した遊技回数を、前記特定遊技状態の遊技回数に加算する遊技回数加算手段を備える
ことを特徴とするスロットマシン。
【請求項２】
請求項１において、
前記加算抽選手段は、全てのリールの回転が停止した後の所定時に、加算抽選を行う
ことを特徴とするスロットマシン。
【請求項３】
請求項１又は請求項２において、
遊技媒体を投入するためのベットスイッチ、リールの回転を開始するためのスタートスイッチ、リールの回転を停止させるためのストップスイッチ、又は貯留されている遊技媒体を払い出すための精算スイッチのうち、少なくとも１つを、前記演出スイッチの操作に基づく加算抽選を終了させるキャンセルスイッチとして機能させ、
前記加算抽選手段は、前記演出スイッチの操作に基づく加算抽選において前記所定条件を満たす前に前記キャンセルスイッチが操作されたときは、前記演出スイッチの操作を要しない加算抽選を行う
ことを特徴とするスロットマシン。
【請求項４】
請求項３において、
前記特定遊技状態の遊技回数に加算される遊技回数を報知する報知手段を備え、
前記報知手段は、前記演出スイッチの操作に基づく加算抽選において前記所定条件を満たす前に前記キャンセルスイッチが操作され、前記演出スイッチの操作を要しない加算抽選を行うときは、前記演出スイッチの操作に基づく加算抽選で当選した遊技回数を報知し、前記演出スイッチの操作を要しない加算抽選で当選した遊技回数については、前記演出スイッチの操作に基づく加算抽選で当選した遊技回数を報知した後の所定のタイミングで報知する
ことを特徴とするスロットマシン。
【手続補正２】
【補正対象書類名】明細書
【補正対象項目名】０００６
【補正方法】変更
【補正の内容】
【０００６】
本発明は、以下の解決手段によって、上述の課題を解決する。なお、かっこ書きにて、対応する実施形態を示す。
請求項１の発明は、
演出スイッチ（４５）と、
遊技者にとって有利となる特定遊技状態（Ｅｘ．チャンス（ＲＴ２遊技））を含む、複数の遊技状態と、
前記特定遊技状態の遊技回数を加算するか否か、及び加算する遊技回数の抽選を行う加算抽選手段（８８）と
を備え、
前記加算抽選手段は、前記特定遊技状態の遊技回数の加算抽選を行うときは、前記演出スイッチの操作に基づく加算抽選を、所定条件を満たすまで、前記演出スイッチの操作ごとに実行し、
前記特定遊技状態の遊技回数の加算抽選を行うときは、その加算抽選で必ず加算することとなる最低限の当選回数を設定し、
前記加算抽選手段で当選した遊技回数を、前記特定遊技状態の遊技回数に加算する遊技回数加算手段（８５）を備えることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１２
【補正方法】変更
【補正の内容】
【００１２】
（作用）
本発明においては、特定遊技状態の遊技回数の加算抽選を行うときは、演出スイッチの操作に基づいて、所定条件を満たすまで、演出スイッチの操作ごとに実行される。
【手続補正７】
【補正対象書類名】明細書
【補正対象項目名】００１８
【補正方法】変更
【補正の内容】
【００１８】
そして、加算抽選手段で所定条件を満たすまでに当選した遊技回数が、特定遊技状態の遊技回数に加算（上乗せ）される。
【手続補正８】
【補正対象書類名】明細書
【補正対象項目名】００１９
【補正方法】変更
【補正の内容】
【００１９】
ここで、加算抽選で必ず加算することとなる最低限の当選回数は保証されるとともに、加算される遊技回数が何遊技になるかはわからず、特定遊技状態の遊技回数に加算される遊技回数が変化に富む。
なお、加算抽選の当選確率を高めに設定すればするほど、加算抽選が継続しやすくなるので、加算される遊技回数の期待値が大きくなり、逆に、加算抽選の当選確率を低めに設定すればするほど、加算抽選が継続しにくくなるので、加算される遊技回数の期待値が小さくなる。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２６
【補正方法】変更
【補正の内容】
【００２６】
本発明によれば、加算抽選で所定条件を満たすまで加算抽選が繰り返され、加算抽選で当選した遊技回数が加算される。これにより、特定遊技状態の遊技回数に加算（上乗せ）される遊技回数が変化に富むようにすることができる。
【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
個人用マッサージ装置であって、マッサージ器とベースとを備え、
前記マッサージ器は、
外部表面、空洞を定義する内部表面および末端部を有するマッサージ器ハウジングと、
前記マッサージ器ハウジング内に配置され、前記個人用マッサージ装置を動作させる少なくとも第１のモータと、
前記マッサージ器ハウジング内に配置され、前記少なくとも１つの第１のモータに電力を供給する充電式電池と、
を備え、
前記ベースは、ベースハウジングを備え、
前記ベースハウジングは、
前記ベースハウジング内に少なくとも部分的に収容される電源コネクタと、
前記マッサージ器内の前記充電式電池を前記ベースを用いて充電するために前記マッサージ器ハウジングを支持する受け面であって、前記充電式電池は前記受け面を介して前記電源コネクタにエネルギ結合される、受け面と、
前記マッサージ器ハウジングの少なくとも充電領域を被い、人体の部位をマッサージするための滑らかな動作部を提供し、かつ前記ベースハウジングの前記受け面に接触する、可撓性スキンと、
を備えることを特徴とする個人用マッサージ装置。
【請求項２】
前記マッサージ器は前記充電式電池に接続された第１カップラを備え、前記第１カップラは、前記電源コネクタに接続され前記ベースハウジング内に収容された第２カップラにエネルギ結合される、請求項１に記載の個人用マッサージ装置。
【請求項３】
前記マッサージ器ハウジング内部に収納され、前記少なくとも１つの第１のモータに接続されて前記第１のモータの作動を制御するコントローラと、
前記マッサージ器ハウジング部内部に収納され、前記マッサージ器の作動を制御するＺｉｇＢｅｅ（商標）プロトコル信号を受信するために前記充電式電池及び前記コントローラに接続される第一の受信器と、
をさらに備える請求項１又は２に記載の個人用マッサージ装置。
【請求項４】
前記マッサージ器は、
前記個人用マッサージ装置と互換性を有する他の装置と通信し網目状ネットワークを生成するため無線周波数送信を用いて作動する前記コントローラに接続された無線周波数トランシーバを備える、
請求項３に記載の個人用マッサージ装置。
【請求項５】
前記網目状ネットワークは前記無線周波数トランシーバと一つ以上の他の装置との間で双方向制御信号を用いて生成され、該無線周波数トランシーバは前記生成された網目状ネットワーク内における複数の他の装置から制御信号を受信可能に構成され、多対一の制御が提供される
請求項４に記載の個人用マッサージ装置。
【手続補正書】
【提出日】平成25年8月2日(2013.8.2)
【手続補正１】
【補正対象書類名】特許請求の範囲
【補正対象項目名】全文
【補正方法】変更
【補正の内容】
【特許請求の範囲】
【請求項１】
ＩＣを少なくとも取り付け可能なＩＣソケットと、
前記ＩＣソケットが少なくとも設けられた制御基板と、
を備えた遊技台であって、
前記遊技台は、ぱちんこ機またはスロットマシンであり、
前記ＩＣソケットは、複数の端子が挿入可能な複数のコネクト部が少なくとも設けられたものであり、
前記ＩＣソケットは、前記複数のコネクト部に対応して複数のソケット端子が少なくとも設けられたものであり、
前記複数のソケット端子は、前記制御基板に固定されるものであり、
前記複数のコネクト部は、直線状に配置されたものであり、
前記複数の端子のうちの少なくとも一つは、第一の端子であり、
前記複数の端子のうちの少なくとも一つは、第二の端子であり、
前記複数のコネクト部のうちの少なくとも一つは、第一のコネクト部であり、
前記複数のコネクト部のうちの少なくとも一つは、第二のコネクト部であり、
前記複数のソケット端子のうちの少なくとも一つは、第一のソケット端子であり、
前記複数のソケット端子のうちの少なくとも一つは、第二のソケット端子であり、
前記第一のコネクト部は、前記第一の端子が挿入されるものであり、
前記第二のコネクト部は、前記第二の端子が挿入されるものであり、
前記第一の端子は、前記第二の端子と隣り合う位置に少なくとも設けられたものであり、
前記第一のソケット端子は、前記第一のコネクト部に対応して設けられたものであり、
前記第二のソケット端子は、前記第二のコネクト部に対応して設けられたものであり、
前記第一のソケット端子は、第一の向きに少なくとも屈曲するものであり、
前記第二のソケット端子は、第二の向きに少なくとも屈曲するものであり、
前記第一の向きとは、前記ＩＣソケットの短手方向内向きのことであり、
前記第二の向きとは、前記ＩＣソケットの短手方向外向きのことである、
ことを特徴とする遊技台。
【請求項２】
請求項１に記載の遊技台であって、
前記第一のソケット端子は、前記ＩＣソケット内で屈曲するものであり、
前記第二のソケット端子は、前記ＩＣソケット内で屈曲するものである、
ことを特徴とする遊技台。
【請求項３】
請求項１または２に記載の遊技台であって、
前記複数のソケット端子の全ては、前記制御基板に取り付ける方向に直線形状をしているものであり、
前記複数の端子の全ては、前記ＩＣソケットに挿入する方向に直線形状をしているものである、
ことを特徴とする遊技台。
【請求項４】
請求項１乃至３のいずれか１項に記載の遊技台であって、
前記複数のソケット端子は、前記ＩＣソケットを裏面視した場合に、千鳥状に配置されたものである、
ことを特徴とする遊技台。
【請求項５】
請求項１乃至４のいずれか１項に記載の遊技台であって、
前記ＩＣソケットは、前記ＩＣの複数の端子が挿入可能な複数のコネクト部に対応して複数のソケット端子が少なくとも設けられたものである、
ことを特徴とする遊技台。
【手続補正２】
【補正対象書類名】明細書
【補正対象項目名】０００６
【補正方法】変更
【補正の内容】
【０００６】
本発明は、ＩＣを少なくとも取り付け可能なＩＣソケットと、前記ＩＣソケットが少なくとも設けられた制御基板と、を備えた遊技台であって、前記遊技台は、ぱちんこ機またはスロットマシンであり、前記ＩＣソケットは、複数の端子が挿入可能な複数のコネクト部が少なくとも設けられたものであり、前記ＩＣソケットは、前記複数のコネクト部に対応して複数のソケット端子が少なくとも設けられたものであり、前記複数のソケット端子は、前記制御基板に固定されるものであり、前記複数のコネクト部は、直線状に配置されたものであり、前記複数の端子のうちの少なくとも一つは、第一の端子であり、前記複数の端子のうちの少なくとも一つは、第二の端子であり、前記複数のコネクト部のうちの少なくとも一つは、第一のコネクト部であり、前記複数のコネクト部のうちの少なくとも一つは、第二のコネクト部であり、前記複数のソケット端子のうちの少なくとも一つは、第一のソケット端子であり、前記複数のソケット端子のうちの少なくとも一つは、第二のソケット端子であり、前記第一のコネクト部は、前記第一の端子が挿入されるものであり、前記第二のコネクト部は、前記第二の端子が挿入されるものであり、前記第一の端子は、前記第二の端子と隣り合う位置に少なくとも設けられたものであり、前記第一のソケット端子は、前記第一のコネクト部に対応して設けられたものであり、前記第二のソケット端子は、前記第二のコネクト部に対応して設けられたものであり、前記第一のソケット端子は、第一の向きに少なくとも屈曲するものであり、前記第二のソケット端子は、第二の向きに少なくとも屈曲するものであり、前記第一の向きとは、前記ＩＣソケットの短手方向内向きのことであり、前記第二の向きとは、前記ＩＣソケットの短手方向外向きのことである、ことを特徴とする遊技台である。
【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
各々が識別可能な複数種類の図柄を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域にそれぞれ導出された前記表示結果の組み合わせに応じて入賞が発生可能とされたスロットマシンであって、
遊技の制御を行う遊技制御手段と、
演出の制御を行う演出制御手段と、
少なくともいずれかの可変表示領域に表示結果が導出される前に、遊技者にとって有利な特別遊技状態への移行を伴う特別入賞及び前記遊技用価値の付与を伴う第１、２の特定付与入賞を含む複数種類の入賞について発生を許容するか否かを決定する事前決定手段と、
前記事前決定手段により前記特別入賞の発生を許容する旨が決定され、該特別入賞が発生しなかったときに、当該特別入賞の発生を許容する旨の決定を次ゲーム以降に持ち越す持越手段と、
前記複数の可変表示領域の表示結果を導出させる際に操作されるそれぞれの導出操作手段と、
前記導出操作手段が操作されたときに、前記事前決定手段の決定結果に基づいて該導出操作手段に対応する可変表示領域に表示結果を導出させる制御を行う導出制御手段と、
を備え、
前記事前決定手段は、前記第１の特定付与入賞の発生を許容する旨及び前記第２の特定付与入賞の発生を許容する旨について前記特別入賞の発生を許容する旨と同時に決定することが可能であり、かつ前記第１の特定付与入賞の発生を許容する旨を前記特別入賞の発生を許容する旨と同時に決定する割合よりも高い割合で前記第２の特定付与入賞の発生を許容する旨を前記特別入賞の発生を許容する旨と同時に決定し、
前記導出制御手段は、
前記第１の特定付与入賞の発生を許容する旨、または前記第１の特定付与入賞及び前記特別入賞の発生を許容する旨が決定されており、周期的に定められた複数の操作タイミングのうち第１の操作タイミングで特定の可変表示領域に対応する導出操作手段が操作されたときに前記第１の特定付与入賞を構成する表示結果を該特定の可変表示領域に導出させる制御を行い、前記複数の操作タイミングのうち前記第１の操作タイミング以外の操作タイミングで前記特定の可変表示領域に対応する導出操作手段が操作されたときに前記第１の特定付与入賞を構成しない表示結果を該特定の可変表示領域に導出させる制御を行うとともに、前記第１の操作タイミング以外の操作タイミングのうちの特定の操作タイミングで前記特定の可変表示領域に対応する導出操作手段が操作されたときに第１の特定表示結果を該特定の可変表示領域に導出させる制御を行う第１の特定付与入賞許容時導出制御手段と、
前記第２の特定付与入賞の発生を許容する旨、または前記第２の特定付与入賞及び前記特別入賞の発生を許容する旨が決定されており、前記複数の操作タイミングのうち第２の操作タイミングで前記特定の可変表示領域に対応する導出操作手段が操作されたときに前記第２の特定付与入賞を構成する表示結果を該特定の可変表示領域に導出させる制御を行い、前記複数の操作タイミングのうち前記第２の操作タイミング以外の操作タイミングで前記特定の可変表示領域に対応する導出操作手段が操作されたときに前記第２の特定付与入賞を構成しない表示結果を該特定の可変表示領域に導出させる制御を行うとともに、前記第２の操作タイミング以外の操作タイミングのうちの前記特定の操作タイミングで前記特定の可変表示領域に対応する導出操作手段が操作されたときに前記第１の特定表示結果とは異なる第２の特定表示結果を該特定の可変表示領域に導出させる制御を行う第２の特定付与入賞許容時導出制御手段と、
前記特別入賞の発生を許容する旨が単独で決定されており、前記複数の操作タイミングのうち前記特定の操作タイミングで前記特定の可変表示領域に対応する導出操作手段が操作されたときに前記第１の特定表示結果または前記第２の特定表示結果を該特定の可変表示領域に導出させる制御を行う特別入賞許容時導出制御手段と、
いずれの入賞の発生も許容しない旨が決定されており、前記複数の操作タイミングのうち前記特定の操作タイミングで前記特定の可変表示領域に対応する導出操作手段が操作されたときに前記第１の特定表示結果及び前記第２の特定表示結果以外の表示結果を該特定の可変表示領域に導出させる制御を行う非許容時導出制御手段と、
を含み、
前記特定の操作タイミングは、前記第１の操作タイミング及び前記第２の操作タイミングよりも多くの遊技用価値の付与が期待できる操作タイミングであり、かつ前記複数の操作タイミングのうち最も多くの遊技用価値の付与が期待できる操作タイミングである
ことを特徴とするスロットマシン。
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
開始指令を発生させるべく操作される開始操作手段と、
役の抽選を行う抽選手段と、
前記絵柄の循環表示を停止させるべく操作される停止操作手段と、
前記開始指令の発生に基づいて前記絵柄の循環表示を開始させるとともに、前記停止操作手段の操作に基づいて前記絵柄の循環表示を停止させるように、前記循環表示手段を表示制御する表示制御手段と、
前記役の抽選に当選した当選役と対応する当選絵柄が有効位置に所定の組合せを形成して停止した場合、入賞成立として遊技者に特典を付与する特典付与手段と
を備え、
前記開始指令の発生に基づいて遊技が開始され、前記絵柄の循環表示が停止したこと、又は前記特典を付与したことに基づいて遊技が終了される遊技機において、
第１遊技状態に移行させる第１遊技状態移行手段と、
第２遊技状態に移行させる第２遊技状態移行手段と、
前記遊技を行う場合に遊技媒体の賭数を設定する賭数設定手段と、
前記賭数設定手段が第１賭数を設定した状況で前記開始操作手段が操作された場合と、前記賭数設定手段が第２賭数を設定した状況で前記開始操作手段が操作された場合と、に前記開始指令が発生したと判定する開始判定手段と、
前記第１遊技状態下で前記開始指令が発生した場合、前記賭数設定手段が前記第１賭数を設定した場合の方が前記第２賭数を設定した場合よりも遊技者の有利度合いが高くなるように、且つ、前記第２遊技状態下で前記開始指令が発生した場合、前記賭数設定手段が前記第２賭数を設定した場合の方が前記第１賭数を設定した場合よりも遊技者の有利度合いが高くなるように、遊技条件を設定する遊技条件設定手段と
を備えたことを特徴とする遊技機。
【請求項２】
前記第２遊技状態は、同一賭数で比較した場合、前記第１遊技状態と比して遊技者の有利度合いが高くなる遊技状態であって、前記第２賭数は前記第１賭数よりも少ないことを特徴とする請求項１に記載の遊技機。
【請求項３】
前記第１賭数と対応する遊技媒体を間接入力する第１間接入力手段と、前記第２賭数と対応する遊技媒体を間接入力する第２間接入力手段とを少なくとも備え、前記各間接入力手段をそれぞれ第１位置に移動可能な構成としたことを特徴とする請求項１又は請求項２に記載の遊技機。
【請求項４】
前記各間接入力手段のうち遊技者の有利度合いが最も高くなる賭数と対応する遊技媒体を間接入力する間接入力手段を前記第１位置に移動させる移動制御手段を備えたことを特徴とする請求項３に記載の遊技機。
【請求項５】
前記各間接入力手段と、前記各間接入力手段が配設されるとともに移動可能に形成される本体部とを有する間接入力ユニットを備え、前記間接入力ユニットは、前記本体部が移動されることにより、前記各間接入力手段がそれぞれ前記第１位置に移動可能とされていることを特徴とする請求項３又は請求項４に記載の遊技機。
【請求項６】
前記間接入力ユニットの本体部を回転移動可能に構成し、前記各間接入力手段を、前記本体部が回転移動する際の回転軸方向における前記本体部の端面に配設するとともに前記回転軸の周囲に分散配置したことを特徴とする請求項５に記載の遊技機。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
原水から軟水を製造する硬水軟化装置と、軟水から透過水を製造する膜分離装置と、を含み、
前記硬水軟化装置は、原水又は再生液が供給される陽イオン交換樹脂床と、
前記陽イオン交換樹脂床に対し、原水を下降流で通過させて軟水を得る軟化プロセス；再生液を前記陽イオン交換樹脂床の頂部及び底部の両側から配液しながら、中間部で集液することにより再生液の対向流を生成して、前記陽イオン交換樹脂床の全体を再生させる再生プロセスに切り換え可能な弁手段と、
再生プロセスにおいて、前記陽イオン交換樹脂床の底部をベースとして所定深さに設定された硬度リーク防止領域に対し、再生レベルが１〜６ｅｑ／Ｌ−Ｒとなる再生液量を供給する再生液供給手段と、を備え、
前記膜分離装置は、供給された軟水を透過水と濃縮水とに分離する逆浸透膜モジュールと、
入力された駆動周波数に応じた回転速度で駆動され、軟水を吸入して前記逆浸透膜モジュールに向けて吐出する加圧ポンプと、
入力された演算値信号に対応する駆動周波数を前記加圧ポンプに出力するインバータと、
透過水の流量が予め設定された目標流量値となるように、系内の物理量を用いて前記加圧ポンプの駆動周波数を演算し、当該駆動周波数の演算値に対応する演算値信号を前記インバータに出力する制御部と、
を備える水処理システム。
【請求項２】
前記膜分離装置は、透過水の流量を検出する流量検出手段を備え、
前記制御部は、前記流量検出手段の検出流量値が前記目標流量値となるように、前記加圧ポンプの駆動周波数を演算する、
請求項１に記載の水処理システム。
【請求項３】
前記膜分離装置は、前記加圧ポンプの吐出圧力を検出する圧力検出手段と、
軟水、透過水又は濃縮水の温度を検出する温度検出手段と、を備え、
前記制御部は、（ｉ）前記温度検出手段の検出温度値、前記逆浸透膜モジュールの基準温度における水透過係数値、及び前記目標流量値に基づいて、前記加圧ポンプの吐出圧力を演算し、（ｉｉ）当該吐出圧力の演算値を目標圧力値として設定し、（ｉｉｉ）前記圧力検出手段の検出圧力値が前記目標圧力値となるように、前記加圧ポンプの駆動周波数を演算する、
請求項１に記載の水処理システム。
【請求項４】
前記膜分離装置は、軟水、透過水又は濃縮水の温度を検出する温度検出手段を備え、
前記制御部は、（ｉ）前記温度検出手段の検出温度値、前記逆浸透膜モジュールの基準温度における水透過係数値、及び前記目標流量値に基づいて、前記加圧ポンプの吐出圧力を演算し、（ｉｉ）当該吐出圧力の演算値に基づいて、前記加圧ポンプの駆動周波数を演算する、
請求項１に記載の水処理システム。
【請求項５】
前記膜分離装置は、軟水、透過水又は濃縮水の温度を検出する温度検出手段と、
装置外へ排出する濃縮水の排水流量を調節可能な排水弁と、を備え、
前記制御部は、（ｉ）予め取得された原水又は軟水のシリカ濃度、及び前記温度検出手段の検出温度値から決定したシリカ溶解度に基づいて、濃縮水におけるシリカの許容濃縮倍率を演算し、（ｉｉ）当該許容濃縮倍率の演算値、及び透過水の前記目標流量値から排水流量を演算し、（ｉｉｉ）濃縮水の実際排水流量が当該排水流量の演算値となるように、前記排水弁を制御する、
請求項１〜４のいずれか一項に記載の水処理システム。
【請求項６】
前記膜分離装置は、軟水のカルシウム硬度を測定する硬度測定手段と、
装置外へ排出する濃縮水の排水流量を調節可能な排水弁と、を備え、
前記制御部は、（ｉ）予め取得された炭酸カルシウム溶解度、及び前記硬度測定手段の測定硬度値に基づいて、濃縮水における炭酸カルシウムの許容濃縮倍率を演算し、（ｉｉ）当該許容濃縮倍率の演算値、及び透過水の前記目標流量値から排水流量を演算し、（ｉｉｉ）濃縮水の実際排水流量が当該排水流量の演算値となるように、前記排水弁を制御する、
請求項１〜４のいずれか一項に記載の水処理システム。
【請求項７】
前記膜分離装置は、透過水の電気伝導率を測定する電気伝導率測定手段と、
装置外へ排出する濃縮水の排水流量を調節可能な排水弁と、を備え、
前記制御部は、前記電気伝導率測定手段の測定電気伝導率値が予め設定された目標電気伝導率値となるように、前記排水弁からの排水流量を制御する、
請求項１〜４のいずれか一項に記載の水処理システム。
【手続補正２】
【補正対象書類名】明細書
【補正対象項目名】００１１
【補正方法】変更
【補正の内容】
【００１１】
本発明は、原水から軟水を製造する硬水軟化装置と、軟水から透過水を製造する膜分離装置と、を含み、前記硬水軟化装置は、原水又は再生液が供給される陽イオン交換樹脂床と、前記陽イオン交換樹脂床に対し、原水を下降流で通過させて軟水を得る軟化プロセス；再生液を前記陽イオン交換樹脂床の頂部及び底部の両側から配液しながら、中間部で集液することにより再生液の対向流を生成して、前記陽イオン交換樹脂床の全体を再生させる再生プロセスに切り換え可能な弁手段と、再生プロセスにおいて、前記陽イオン交換樹脂床の底部をベースとして所定深さに設定された硬度リーク防止領域に対し、再生レベルが１〜６ｅｑ／Ｌ−Ｒとなる再生液量を供給する再生液供給手段と、を備え、前記膜分離装置は、供給された軟水を透過水と濃縮水とに分離する逆浸透膜モジュールと、入力された駆動周波数に応じた回転速度で駆動され、軟水を吸入して前記逆浸透膜モジュールに向けて吐出する加圧ポンプと、入力された演算値信号に対応する駆動周波数を前記加圧ポンプに出力するインバータと、透過水の流量が予め設定された目標流量値となるように、系内の物理量を用いて前記加圧ポンプの駆動周波数を演算し、当該駆動周波数の演算値に対応する演算値信号を前記インバータに出力する制御部と、を備える水処理システムに関する。
【手続補正書】
【提出日】平成25年2月18日(2013.2.18)
【手続補正１】
【補正対象書類名】特許請求の範囲
【補正対象項目名】請求項９
【補正方法】変更
【補正の内容】
【請求項９】
前記第２レギュレータから前記電源供給線を介して前記第１レギュレータに供給される入力電圧を前記第２レギュレータに戻すフィードバック回路を備えることを特徴とする請求項１から８のいずれか１項に記載の電子内視鏡装置。
【手続補正２】
【補正対象書類名】特許請求の範囲
【補正対象項目名】請求項１２
【補正方法】変更
【補正の内容】
【請求項１２】
前記第２回路部は、前記電子内視鏡を光源装置に着脱自在に連結するコネクタ部分に配置されていることを特徴とする請求項１１に記載の電子内視鏡システム。
【手続補正３】
【補正対象書類名】明細書
【補正対象項目名】００２８
【補正方法】変更
【補正の内容】
【００２８】
本発明の他の態様として、前記第２レギュレータから前記電源供給線を介して前記第１レギュレータに供給される入力電圧を前記第２レギュレータに戻すフィードバック回路を備える態様が好ましい。
【手続補正４】
【補正対象書類名】明細書
【補正対象項目名】００３６
【補正方法】変更
【補正の内容】
【００３６】
本発明の電子内視鏡システムの一態様として、前記第２回路部は、前記電子内視鏡を光源装置に着脱自在に連結するコネクタ部分に配置されている構成とすることができる。
【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
複数種類の図柄が付されている複数のリールの回転が、停止した時に表示された前記図柄の組合せによって結果が定まる単位遊技を繰り返し行うスロットマシンであって、
複数種類の役のいずれを当選役とするかを定める役抽選を行う役抽選手段と、
遊技者からの操作に応じて前記複数のリールの回転の停止を指示する停止指示手段と、
前記停止指示手段によって前記複数のリールの停止が指示されると、回転している前記リールについて、前記役抽選の結果に基づく停止制御を行うリール停止制御手段と、
前記リール停止制御手段によって、より多くの遊技媒体が付与されるように前記図柄の組合せが停止表示されることとなる、前記停止指示手段の操作態様を報知する入賞操作態様報知手段と、
所定の図柄の組合せが停止表示されると、前記入賞操作態様報知手段による前記操作態様の報知が行われる特殊遊技を開始する特殊遊技実行手段と、
前記所定の図柄の組合せが停止され、前記特殊遊技が行われたことを示す特殊遊技実行信号が外部へ出力される契機となる操作態様を報知する外部出力操作態様報知手段と、を含み、
前記外部出力操作態様報知手段は、前記特殊遊技実行信号が外部へ出力されてから、所定単位遊技数の到達以降に前記特殊遊技実行信号の外部出力が行われることとなる操作態様を報知する
ことを特徴とするスロットマシン。
【請求項２】
前記外部出力操作態様報知手段は、
前記役抽選手段で所定の役を定めたときに、前記特殊遊技実行信号が外部へ出力される契機となる操作態様を報知し、
前記特殊遊技実行信号が外部へ出力されてから、前記所定単位遊技数に到達するまでの間は、前記所定の役が定められた場合であっても、前記特殊遊技実行信号が外部へ出力される契機となる操作態様を報知しない
ことを特徴とする請求項１記載のスロットマシン。
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
ＮＫ細胞を含む細胞集団を調製するステップと、
前記ＮＫ細胞を含む細胞集団からＴ細胞を除去するステップと、
除去された残りの細胞を、２５００ＩＵ／ｍＬないし２８１３ＩＵ／ｍＬのＩＬ−２だけをサイトカインとして含む培地でフィーダー細胞を用いることなく培養するステップとを含むことを特徴とする、ＮＫ細胞の増幅方法。
【請求項２】
前記ＮＫ細胞を含む細胞集団から前記Ｔ細胞を除去するステップは、ＣＤ３陽性細胞を除去するステップによって達成されることを特徴とする、請求項１に記載のＮＫ細胞の増幅方法。
【請求項３】
前記調製するステップと、前記培養するステップとの間に、前記ＮＫ細胞を含む細胞集団から造血前駆細胞を除去するステップを含むことを特徴とする、請求項１又は２に記載のＮＫ細胞の増幅方法。
【請求項４】
前記ＮＫ細胞を含む細胞集団から前記造血前駆細胞を除去するステップは、ＣＤ３４陽性細胞を除去するステップによって達成されることを特徴とする、請求項３に記載のＮＫ細胞の増幅方法。
【請求項５】
前記培地は、自家血清、ＡＢ型血清、及び／又は、血清アルブミンを含むことを特徴とする、請求項１ないし４のいずれか１つに記載のＮＫ細胞の増幅方法。
【請求項６】
前記ＮＫ細胞を含む細胞集団を調製するステップは、被験者から採取された血球細胞から単核球を分離するステップによって達成されることを特徴とする、請求項１ないし５のいずれか１つに記載のＮＫ細胞の増幅方法。
【請求項７】
前記血球細胞は、末梢血、臍帯血、骨髄及び／又はリンパ節から採取されることを特徴とする、請求項６に記載のＮＫ細胞の増幅方法。
【請求項８】
前記血球細胞は末梢血からアフェレーシス法により採取されることを特徴とする、請求項７に記載のＮＫ細胞の増幅方法。
【請求項９】
前記ＮＫ細胞を含む細胞集団は、胚性幹細胞、成体幹細胞及び人工多能性幹（ｉＰＳ）細胞からなるグループから選択されるいずれかの幹細胞由来の造血幹細胞と、臍帯血由来の造血幹細胞と、末梢血由来の造血幹細胞と、骨髄血由来の造血幹細胞と、臍帯血単核球と、末梢血単核球とからなる群から選択される少なくとも１種類の細胞から調製されることを特徴とする、請求項１ないし５のいずれか１つに記載の方法。
【請求項１０】
請求項１ないし９のいずれか１つに記載の増幅方法によって調製されるＮＫ細胞を含むことを特徴とする、細胞療法のための医薬品組成物。
【請求項１１】
感染症及び／又は癌を治療するために用いられることを特徴とする、請求項１０に記載の医薬品組成物。
【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
キャリア部（３０６）と、
前記キャリア部（３０６）上に設けられ、微小電子機械（ＭＥＭＳ）電流検出装置の光路（４０２、４０３）および前記光路（４０２、４０３）内の磁気感受性要素（４０１）を含む、光学部（３０１）と、
前記キャリア部（３０６）上に設けられ、前記光路（４０２）の第１の端部と動作状態で連通する、光源（３０２ａ）と、
前記キャリア部（３０６）上に設けられ、前記光路（４０３）の第２の端部と動作状態で連通する、光検出器（３０２ｂ）と、
を含む、ＭＥＭＳ電流検出装置。
【請求項２】
前記磁気感受性要素（４０１）は、フェリ磁性ブロック、強磁性ブロック、磁気感受性結晶または偏光維持光ファイバである、請求項１記載の装置。
【請求項３】
前記光源（３０２ａ）は、スーパールミネセントダイオード、発光ダイオードまたはレーザダイオードである、請求項１記載の装置。
【請求項４】
前記光検出器（３０２ｂ）と動作状態で通信する信号処理部（３０３）
をさらに含む、請求項１記載の装置。
【請求項５】
前記信号処理部（３０３）は、前記光源（３０２ａ）と動作状態で通信する、請求項４記載の装置。
【請求項６】
前記信号処理部（３０３）は、前記磁気感受性要素（４０１）に比較的密接して流れる電流の量を測定するように構成される、請求項５記載の装置。
【請求項７】
前記信号処理部（３０３）は、前記磁気感受性要素に比較的密接して流れる電流の量を測定するように構成される、請求項４記載の装置。
【請求項８】
前記信号処理部と動作状態で通信する通信部（３０４）をさらに含む、請求項１１記載の装置。
【請求項９】
前記通信部（３０４）は、前記信号処理部によって測定した電流測定結果を送信するように構成される、請求項８記載の装置。
【請求項１０】
前記通信部、前記信号処理部、前記光源および前記光検出器をＥＭＩからアイソレートするように構成された電磁アイソレーション（ＥＭＩ）バリア（３０５）をさらに含む、請求項８記載の装置。
【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
電力線に接続され、前記電力線に接続された他の通信機器と通信する通信データを含む信号を前記電力線を介して送受するモデム部と、
前記モデム部による電力線通信の通信状態を検出する電力線通信検出部と、
前記電力線通信検出部が検出した電力線通信の通信状態に基づいて、電力線通信の通信品質を判断する通信制御部と
を有し、
前記通信制御部は、
判断した電力線通信の通信品質の情報を、前記他の通信機器において電力線通信の通信品質に応じた処理を実行させるために、前記モデム部を介して前記他の通信機器へ送信する
通信機器。
【請求項２】
通信機器、通信機器を電力線に接続する充電器、および前記電力線に接続された他の通信機器を有し、
前記通信機器または前記充電器に設けられ、前記他の通信機器と通信する通信データを含む信号を前記電力線を介して送受するモデム部と、
前記通信機器または前記充電器に設けられ、前記モデム部による電力線通信の通信状態を検出する電力線通信検出部と、
前記通信機器または前記充電器に設けられ、前記電力線通信検出部が検出した電力線通信の通信状態に基づいて、電力線通信の通信品質を判断する通信制御部と
を有し、
前記通信制御部は、
判断した電力線通信の通信品質の情報を、前記モデム部を介して前記他の通信機器へ送信し、
前記他の通信機器は、
前記電力線から受信した前記電力線通信の通信品質の情報に基づいて、電力線通信の通信品質に応じた処理を実行する
電力線通信システム。
【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
透光性を有した透光性部材と、
前記透光性部材に向けて光を照射する光照射手段と、
前記透光性部材の上を搬送される原稿の画像を読み取る、原稿の搬送方向と直交する方向である主走査方向に並んだ読み取り素子を有する画像読取手段と、
前記透光性部材を挟んで前記光照射手段とは逆側に設けられた基準部材と、
複数の原稿を連続して読み取る際に、先行する原稿の後端が前記画像読取手段の画像読取位置を通過してから後続の原稿の先端が該画像読取位置に到着するまでの間に、前記画像読取手段により前記基準部材を読み取ることで得られた該後続の原稿に関する基準部材の読取値に基づいて、該後続の原稿に対する主走査位置ごとの光量の補正値を決定する補正値決定手段と、
前記先行する原稿に関する光量の補正値と前記後続の原稿に関する光量の補正値とに基づいて、該後続の原稿に関する補正値の異常を検出し、異常のある主走査位置を特定する異常検出手段と、
前記異常検出手段により異常が検出されると、前記後続の原稿に関する基準部材の読取値のうち前記特定された異常のある主走査位置に対応する読取値、または前記後続の原稿に関する光量の補正値のうち前記特定された異常のある主走査位置に対応する補正値を修正する修正手段と
を備えたことを特徴とする画像読取装置。
【請求項２】
前記異常検出手段は、前記先行する原稿に関する光量の補正値と前記後続の原稿に関する光量の補正値との差が閾値を超えているかどうかを判定することで、前記補正値の異常を検出する手段であることを特徴とする請求項１に記載の画像読取装置。
【請求項３】
前記修正手段は、前記特定された異常のある主走査位置の前方に位置する第１の主走査位置に関する補正値と、該特定された異常のある主走査位置の後方に位置する第２の主走査位置に関する補正値とを用いて線形補間することで、該特定された異常のある主走査位置に関する光量の補正値を決定する手段であることを特徴とする請求項１に記載の画像読取装置。
【請求項４】
前記補正値決定手段は、前記複数の読み取り素子のうち、前記基準部材における複数のサンプル領域に対応した読み取り素子のグループごとに読取値の和を求め、該読み取り素子のグループごとの読取値の和から該読み取り素子のグループごとの補正値を決定し、
前記異常検出手段は、前記読み取り素子のグループごとに異常を検出し、
前記修正手段は、異常が検出された前記読み取り素子のグループごとに修正値を決定することを特徴とする請求項１に記載の画像読取装置。
【請求項５】
前記補正値決定手段は、前記読み取り素子のグループごとの読取値の和を、該グループを構成する読み取り素子の数で除算して平均値を算出し、算出した該平均値を用いて該読み取り素子ごとの補正値を決定することを特徴とする請求項４に記載の画像読取装置。
【手続補正２】
【補正対象書類名】明細書
【補正対象項目名】０００８
【補正方法】変更
【補正の内容】
【０００８】
画像読取装置は、例えば、
透光性を有した透光性部材と、
前記透光性部材に向けて光を照射する光照射手段と、
前記透光性部材の上を搬送される原稿の画像を読み取る、原稿の搬送方向と直交する方向である主走査方向に並んだ読み取り素子を有する画像読取手段と、
前記透光性部材を挟んで前記光照射手段とは逆側に設けられた基準部材と、
複数の原稿を連続して読み取る際に、先行する原稿の後端が前記画像読取手段の画像読取位置を通過してから後続の原稿の先端が該画像読取位置に到着するまでの間に、前記画像読取手段により前記基準部材を読み取ることで得られた該後続の原稿に関する基準部材の読取値に基づいて、該後続の原稿に対する主走査位置ごとの光量の補正値を決定する補正値決定手段と、
前記先行する原稿に関する光量の補正値と前記後続の原稿に関する光量の補正値とに基づいて、該後続の原稿に関する補正値の異常を検出し、異常のある主走査位置を特定する異常検出手段と、
前記異常検出手段により異常が検出されると、前記後続の原稿に関する基準部材の読取値のうち前記特定された異常のある主走査位置に対応する読取値、または前記後続の原稿に関する光量の補正値のうち前記特定された異常のある主走査位置に対応する補正値を修正する修正手段と
を備えたことを特徴とする。
【手続補正書】
【提出日】平成25年2月5日(2013.2.5)
【手続補正１】
【補正対象書類名】特許請求の範囲
【補正対象項目名】全文
【補正方法】変更
【補正の内容】
【特許請求の範囲】
【請求項１】
基地局からスクランブルコードで周波数拡散された無線信号を受信する受信部と；
前記受信部により受信された無線信号と複数のスクランブルコードの各々との相関を検出する相関検出部と；
前記相関検出部により検出された最も大きい相関と、他の相関との関係を示す指標を演算する演算部と；
位置を特定可能な位置特定情報、および前記演算部により得られた前記指標に基づいて推定された前記基地局の空き容量を取得する空き容量取得部と；
を備える、無線通信装置。
【請求項２】
前記演算部は、前記相関検出部により検出された最も大きい相関と、最も小さい相関との比率を示す前記指標を演算する、請求項１に記載の無線通信装置。
【請求項３】
前記無線通信装置は、現在位置を示す前記位置特定情報を取得する取得部をさらに備える、請求項２に記載の無線通信装置。
【請求項４】
前記相関検出部は、前記受信部により受信された無線信号と、周囲の複数の基地局が利用するクランブルコードとの相関を、前記位置特定情報として検出する、請求項２に記載の無線通信装置。
【請求項５】
前記受信部は、異なるアクセス網に属する複数の基地局から無線信号を受信する、請求項２に記載の無線通信装置。
【請求項６】
前記位置特定情報および前記指標を前記基地局の空き容量を推定する推定サーバへ送信する送信部をさらに備える、請求項１〜５のいずれか一項に記載の無線通信装置。
【請求項７】
前記送信部は、前記位置特定情報および前記指標を、ＳＩＰメッセージにより送信する、請求項６に記載の無線通信装置。
【請求項８】
前記相関検出部は、前記受信部により受信された無線信号と、３段階セルサーチにおける第２ステップにおいて特定されたスクランブルコードグループに含まれる前記複数のスクランブルコードの各々との相関を検出する、請求項２〜５のいずれか一項に記載の無線通信装置。
【請求項９】
前記他の相関は、複数の基地局から受信される無線信号を拡散率で除した値である、請求項１に記載の無線通信装置。
【請求項１０】
前記相関検出部は、前記受信部により受信された無線信号と、サービングセルと周辺セルのスクランブルコードの各々との相関を、報知情報で報知されたタイミング差において検出する、請求項２〜５のいずれか一項に記載の無線通信装置。
【請求項１１】
基地局からＯＦＤＭＡ方式で送信された無線信号を受信する受信部と；
前記受信部により受信された無線信号に基づいて、前記基地局が使用し得る全サブキャリアに対する、未使用のサブキャリアの比率を検出する検出部と；
位置情報を取得する位置情報取得部と；
前記検出部により検出された前記比率および前記位置情報取得部により取得された前記位置情報に基づいて推定された前記基地局の空き容量を取得する空き容量取得部と；
を備える、無線通信装置。
【請求項１２】
前記位置情報および前記比率を前記基地局の空き容量を推定する推定サーバへ送信する送信部をさらに備え、
前記送信部は、前記位置情報および前記比率を、ＳＩＰメッセージにより送信する、請求項１１に記載の無線通信装置。
【請求項１３】
無線通信装置から、無線通信装置が基地局から受信した無線信号と複数のスクランブルコードの各々との相関のうちで最も大きい相関と他の相関との関係を示す指標、および前記無線通信装置の位置を特定可能な位置特定情報を受信する受信部と；
前記指標から前記基地局の空き容量を推定する推定部と；
前記推定部により推定された空き容量を、前記位置特定情報に基づき、前記無線通信装置と前記基地局との距離が遠くなるほど小さくするように補正する補正部と；
を備える、推定サーバ。
【請求項１４】
前記受信部は、前記無線通信装置から、異なるアクセス網に属する複数の基地局の前記指標を受信し、
前記推定サーバは、
前記無線通信装置のユーザの通信速度または通信費用に対する嗜好を示すユーザ情報を記憶するユーザ情報記憶部と；
各アクセス網を利用した場合の通信費用を示す情報を記憶する通信費用記憶部と；
前記基地局の空き容量、前記ユーザ情報、および前記通信費用に基づいていずれかのアクセス網を選択する選択部と；
をさらに備える、請求項１３に記載の推定サーバ。
【請求項１５】
前記通信費用は、対応する基地局の空き容量に応じて可変である、請求項１４に記載の推定サーバ。
【請求項１６】
前記選択部により選択された前記アクセス網を前記無線通信装置に通知する通知部をさらに備える、請求項１４に記載の推定サーバ。
【請求項１７】
基地局からスクランブルコードで周波数拡散された無線信号を受信するステップと；
前記無線信号と複数のスクランブルコードの各々との相関を検出するステップと；
最も大きい相関と、他の相関との関係を示す指標を演算するステップと；
位置を特定可能な位置特定情報および前記指標に基づいて推定された前記基地局の空き容量を取得するステップと；
を含む、無線通信方法。
【請求項１８】
無線通信装置から、無線通信装置が基地局から受信した無線信号と複数のスクランブルコードの各々との相関のうちで最も大きい相関と他の相関との関係を示す指標、および前記無線通信装置の位置を特定可能な位置特定情報を受信するステップと；
前記指標から前記基地局の空き容量を推定するステップと；
推定された前記空き容量を、前記位置特定情報に基づき、前記無線通信装置と前記基地局との距離が遠くなるほど小さくするように補正するステップと；
を含む、推定方法。
【請求項１９】
基地局からスクランブルコードで周波数拡散された無線信号を受信する受信部と；
前記受信部により受信された無線信号と複数のスクランブルコードの各々との相関を検出する相関検出部と；
位置を特定可能な位置特定情報および前記相関検出部による相関検出結果を、前記相関検出結果のうちで最も大きい相関と他の相関との関係、および前記位置特定情報に基づいて前記基地局の空き容量を推定する推定サーバへ送信する送信部と；
を備える、無線通信装置。
【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
無線通信機能を有するピア間でのピア・ツー・ピア・モードでのデータ配布を制御する方法であって：
（ｉ）各セットは前記データに関連する動作を実行するために用いられ、用いられた後に削除されるためのものである、第１のピアに対するＮ個の命令セットを生成する段階；及び
（ｉｉ）前記第１のピアが前記データに関連する局所的に残存する命令セットを用いることができないとき、少なくとも１つの前記残存する命令セットが第２のピアにより用いられるようにするため、該少なくとも１つの前記残存する命令セットを前記第１のピアから少なくとも１つの該第２のピアへ送信する段階；
を有する方法。
【請求項２】
プロトコルにより指定されたとき；及び／又は
前記第１のピアが、要求したデータを他のピアから受信する度に；及び／又は
他のピア及び／又は前記要求している第１のピアが前記データを保有していない場合でも、前記第１のピアが別のピアからデータを要求する度に；及び／又は
前記第１のピアに対して積極的に、環境及び／又は特定のプログラムに依存しうる所与のカウンタの動作に従い、
Ｎ個の命令セットが生成される、
ことを特徴とする請求項１に記載の方法。
【請求項３】
前記第２のピアが所与のデータに関する動作を定める命令セットを受信したとき、該受信された命令セットは同一の所与のデータに関する同一の動作を局所的に定める可能な他の命令セットに付加される、
ことを特徴とする請求項１又は２に記載の方法。
【請求項４】
前記第２のピアは少なくとも１つの発見的ルールにより選択される、
ことを特徴とする請求項１乃至３の何れか一項に記載の方法。
【請求項５】
前記発見的ルールは、前記命令セットにより定められた動作を最も迅速に実行しそうな第２のピアを選択することを有する、
ことを特徴とする請求項４に記載の方法。
【請求項６】
前記段階（ｉｉ）で、前記第１のピアは、所与のデータに対してある割合の残存する命令セットを、前記所与のデータの恒久的な複製を格納している少なくとも１つの第２のピアへ送信する、
ことを特徴とする請求項１乃至５の何れか一項に記載の方法。
【請求項７】
各命令セットは、データの複製、データの削除、データの置換及びデータの変更のうちの少なくとも１つを有するグループから選択された動作を定める、
ことを特徴とする請求項１乃至６の何れか一項に記載の方法。
【請求項８】
無線通信を通じて、制御装置に関連付けられた第１のピアから他のピアへのピア・ツー・ピア・モードでのデータ配布を制御する制御装置であって：
（ｉ）各セットは前記データに関連する動作を実行するために用いられ、用いられた後に削除されるためのものである、前記第１のピアに対するＮ個の命令セットを生成し；及び
（ｉｉ）前記第１のピアが前記データに関連する局所的に残存する命令セットを用いることができないとき、少なくとも１つの前記残存する命令セットが第２のピアにより用いられるようにするため、該少なくとも１つの前記残存する命令セットを少なくとも１つの該第２のピアへ送信するよう前記第１のピアに命令する；
ことを特徴とする制御装置。
【請求項９】
他のピアとの無線通信を確立可能なピアであって、
請求項８に記載の制御装置を有する、
ピア。